(57)【要約】【課題】  ダストボックスに溜まった細断紙を取り除く際、シュレッダーヘッドの排出口を塞ぐ扉を設けることにより細断紙の散乱防止およびシュレッダーヘッド内の刃部への指等の挿入を防止し、利便性が良く、かつ安全性の高い細断物散乱防止機能または安全保護機能付シュレッダーを提供する。【解決手段】  シュレッダーヘッド１２の排出口に扉１５と駆動手段とから成る開閉機構を備えた細断物散乱防止機能または安全保護機能付シュレッダー。【選択図】図１
0003139450.tif 000002
【実用新案登録請求の範囲】
【請求項１】
シュレッダーヘッドをダストボックスの上にセットしてシュレッダーヘッドに内蔵された刃で細断した細断物をシュレッダーヘッドの排出口から排出してダストボックス内に収容し、シュレッダーヘッドをシュレダー本体から取外してダストボックス内に溜まった細断物を取出すヘッド外し式シュレッダーにおいて、
シュレッダーヘッドの排出口を開閉する扉と、前記シュレッダーヘッドをシュレッダー本体から取外した状態で前記シュレッダーヘッドの排出口の扉を閉め、また前記シュレッダーヘッドを前記シュレッダー本体にセットした状態で前記シュレッダーヘッドの排出口の扉を開ける駆動手段とから成る開閉機構を備えたことを特徴とする細断物散乱防止機能または安全保護機能付シュレッダー。
【請求項２】
前記駆動手段は、前記排出口を開閉するための回転力を前記扉に伝達する伝達軸、前記伝達軸の両端にあって前記伝達軸を回転可能に支承する固定部、前記伝達軸と連動回転するように前記伝達軸の一方の端に取付けられたハンドル、前記ハンドル側の固定部に設けたスプリング固定部、一方の端を前記スプリング固定部に固定し他方の端を前記ハンドルに固定して前記扉を閉じるための回転力を蓄えるスプリングとを前記シュレッダーヘッドの底部に備え、前記シュレッダーヘッドがシュレダー本体にセットした状態で前記スプリングに前記扉を閉じる回転力を蓄えるために前記ハンドルを押上る柱を前記ダストボックスに備えたことを特徴とする請求項１に記載の細断物散乱防止機能または安全保護機能付シュレッダー。
【請求項３】
前記駆動手段は、前記排出口を開閉するための回転力を前記扉に伝達する伝達軸、前記伝達軸の両端にあって前記伝達軸を回転可能に支承する二つの固定部、前記伝達軸と連動回転するように前記伝達軸の両端にそれぞれに取付けられたハンドル、前記伝達軸の両端にある固定部にそれぞれに設けたスプリンク固定部、一方の端を前記伝達軸の両端にある固定部にそれぞれに設けた前記スプリング固定部に各々固定し他方の端を前記伝達軸の両端に取付けられたハンドルに各々固定して前記扉を閉じるための回転力を蓄える２つのスプリングとを前記シュレッダーヘッドの底部に備え、前記シュレッダーヘッドがシュレダー本体にセットした状態で前記伝達軸の両端にある前記スプリングに前記扉を閉じる回転力を蓄えるために前記伝達軸の両端にある前記ハンドルを各々押上る柱を前記ダストボックスの２箇所に備えたことを特徴とする請求項１に記載の細断物散乱防止機能または安全保護機能付シュレッダー。
【請求項４】
前記シュレッダーヘッドの排出口を開閉する扉と、前記排出口を開閉するための回転力を前記扉に伝達する伝達軸、前記伝達軸の両端にあって前記伝達軸を回転可能に支承する固定部、前記伝達軸と連動回転するように前記伝達軸の一方の端に取付けられたハンドル、前記ハンドル側の固定部に設けたスプリング固定部、一方の端を前記スプリング固定部に固定し他方の端を前記ハンドルに固定して前記扉を閉じるための回転力を蓄えるスプリングとを前記シュレッダーヘッドの底部に備え、前記シュレッダーヘッドがシュレダー本体にセットした状態で前記スプリングに前記扉を閉じる回転力を蓄えるために前記ハンドルを押上る柱を前記ダストボックスに備えて成る前記駆動手段とから構成される前記開閉機構を少なくとも１つ以上備えたことを特徴とする請求項１に記載の細断物散乱防止機能または安全保護機能付シュレッダー。
【請求項５】
シュレッダーヘッドとシュレダー本体とが一体化されており、シュレッダーヘッドに内蔵された刃で細断した細断物をシュレッダーヘッドの排出口から排出してダストボックス内に収容し、ダストボックスをシュレッダー本体から引出してダストボックス内に溜まった細断物を取出すダストボックス引出し式シュレッダーにおいて、
シュレッダーヘッドの排出口を開閉する扉と、ダストボックスをシュレッダー本体から引出した状態で前記シュレッダーヘッドの排出口の扉を閉め、また前記ダストボックスを前記シュレッダー本体にセットした状態で前記シュレッダーヘッドの排出口の扉を開ける駆動手段とから成る開閉機構を備えたことを特徴とする細断物散乱防止機能または安全保護機能付シュレッダー。
【請求項６】
前記駆動手段は、前記排出口を開閉するための回転力を前記扉に伝達する伝達軸、前記伝達軸の両端にあって前記伝達軸を回転可能に支承する固定部、前記伝達軸と連動回転するように前記伝達軸の一方の端に取付けられたハンドル、前記ハンドル側の固定部に設けたスプリング固定部、一方の端を前記スプリング固定部に固定し他方の端を前記ハンドルに固定して前記扉を閉じるための回転力を蓄えるスプリングとを前記シュレッダーヘッドの底部に備え、前記ダストボックスがシュレダー本体にセットした状態で前記スプリングに前記扉を閉じる回転力を蓄えるために前記ハンドルを押上る柱を前記ダストボックスに備えたことを特徴とする請求項５に記載の細断物散乱防止機能または安全保護機能付シュレッダー。
【請求項７】
前記駆動手段は、前記排出口を開閉するための回転力を前記扉に伝達する伝達軸、前記伝達軸の両端にあって前記伝達軸を回転可能に支承する二つの固定部、前記伝達軸と連動回転するように前記伝達軸の両端にそれぞれに取付けられたハンドル、前記伝達軸の両端にある固定部にそれぞれに設けたスプリング固定部、一方の端を前記伝達軸の両端にある固定部にそれぞれに設けた前記スプリング固定部に各々固定し他方の端を前記伝達軸の両端に取付けられたハンドルに各々固定して前記扉を閉じるための回転力を蓄える２つのスプリングとを前記シュレッダーヘッドの底部に備え、前記ダストボックスがシュレダー本体にセットした状態で前記伝達軸の両端にある前記スプリングに前記扉を閉じる回転力を蓄えるために前記伝達軸の両端にある前記ハンドルを各々押上る柱を前記ダストボックスの２箇所に備えたことを特徴とする請求項５に記載の細断物散乱防止機能または安全保護機能付シュレッダー。
【考案の詳細な説明】
【技術分野】
【０００１】  本考案は、細断物散乱防止機能または安全保護機能付シュレッダーに係り、特にダストボックスに溜まった細断物（細断紙）を取り除く際、シュレッダーヘッドの排出口を塞ぐ蓋（扉）を設けることにより細断物の散乱防止およびシュレッダーヘッド内の刃部への指等の挿入を防止することのできる細断物散乱防止機能または安全保護機能付シュレッダーに関する。
【背景技術】
【０００２】  従来のシュレッダーとして、ヘッド外し式シュレッダーとダストボックス引出し式シュレッダーの２つの形式が知られている。【０００３】  ヘッド外し式シュレッダーはシュレッダーヘッドをダストボックスの上にセットしてシュレッダーヘッドの投入口より取込んだ細断する物（紙）をシュレッダーヘッド内の刃によって細断し、細断された物（細断紙）をダストボックス内に落とし込んで収容する。
ダストボックス内の細断紙が満杯になったら、シュレッダーヘッドをダストボックスから外し、細断紙をダストボックスから取り出して捨てる。【０００４】  ダストボックス引出し式シュレッダーはシュレッダー本体とシュレッダーヘッドとが一体となっており、シュレッダーヘッドの投入口より取込んだ細断する物（紙）をシュレッダーヘッド内の刃によって細断し、細断された物（細断紙）をシュレッダーヘッドの下にセットしたダストボックス内に落とし込んで収容する。
ダストボックス内の細断紙が満杯になったら、ダストボックスをシュレッダー本体から引出し、細断紙をダストボックスから取り出して捨てる。
【考案の開示】
【考案が解決しようとする課題】
【０００５】
【０００６】  しかしながら、従来のヘッド外し式シュレッダーには、シュレッダーヘッドをダストボックスから外した際にシュレッダーヘッド内の刃に残った細断紙がシュレッダーヘッドの排出口から零れ落ちて散乱するという課題がある。
また、従来のヘッド外し式シュレッダーには、シュレッダーヘッドの排出口に扉を設けたものもあるが、この扉が可動のためシュレッダーヘッド内への指等の挿入が可能であり、シュレッダーヘッド内の刃に触れて怪我をする恐れがあるという課題がある。【０００７】  更に、従来のダストボックス引出し式シュレッダーには、シュレッダー本体からダストボックスを引出した際にシュレッダーヘッド内の刃に残った細断紙がシュレッダーヘッドの排出口から零れ落ちてシュレッダー本体内、或いは周囲に散乱するという課題がある。
また、従来のダストボックス引出し式シュレッダーには、シュレッダーヘッドの排出口に扉を設けたものもあるが、この扉が可動のためシュレッダーヘッド内への指等の挿入が可能であり、シュレッダーヘッド内の刃に触れて怪我をする恐れがあるという課題がある。【０００８】  本考案は、上記した従来技術の課題を解決するためになされたものであって、第１の目的は、シュレッダーヘッドの排出口を開閉する扉と、扉を開閉する開閉機構とによりシュレッダーヘッドをシュレッダー本体から取外した際、またはダストボックスをシュレッダー本体から引出した際に扉が排出口を閉じてシュレッダーヘッド内の刃に残った細断紙の散乱を防止することができる細断物散乱防止機能または安全保護機能付シュレッダーを提供することにある。【０００９】  また、第２の目的は、シュレッダーヘッドの排出口を開閉する扉と、扉を開閉する開閉機構とによりシュレッダーヘッドをシュレッダー本体から取外した際、またはダストボックスをシュレッダー本体から引出した際に扉が排出口を閉じてシュレッダーヘッド内への指等の挿入を阻止し、シュレッダーヘッド内の刃よる怪我を防止することができる細断物散乱防止機能または安全保護機能付シュレッダーを提供することにある。
【課題を解決するための手段】
【００１０】  上記課題を解決するために本考案に係る細断紙散乱防止機能または安全保護機能付シュレッダーは、ヘッド外し式シュレッダーにおいて、シュレッダーヘッドの排出口を開閉する扉と、シュレッダーヘッドをシュレッダー本体から取外した状態でシュレッダーヘッドの排出口の扉を閉め、またシュレッダーヘッドをシュレッダー本体にセットした状態でシュレッダーヘッドの排出口の扉を開ける開閉機構とを備えたので、シュレッダーヘッドをシュレッダー本体から取外した際にシュレッダーヘッド内の刃に残った細断紙の散乱を防止することができる。【００１１】  また、本考案に係る細断紙散乱防止機能または安全保護機能付シュレッダーは、ヘッド外し式シュレッダーにおいて、シュレッダーヘッドの排出口を開閉する扉と、シュレッダーヘッドをシュレッダー本体から取外した状態でシュレッダーヘッドの排出口の扉を閉め、またシュレッダーヘッドをシュレッダー本体にセットした状態でシュレッダーヘッドの排出口の扉を開ける開閉機構とを備えたので、シュレッダーヘッドをシュレッダー本体から取外した際にシュレッダーヘッド内への指等の挿入を阻止し、シュレッダーヘッド内の刃による怪我を防止することができる。【００１２】  さらに、本考案に係る細断紙散乱防止機能または安全保護機能付シュレッダーは、ダストボックス引出し式シュレッダーにおいて、シュレッダーヘッドの排出口を開閉する扉と、ダストボックスをシュレッダー本体から引出した状態でシュレッダーヘッドの排出口の扉を閉め、またダストボックスをシュレッダー本体にセットした状態でシュレッダーヘッドの排出口の扉を開ける開閉機構を備えたので、ダストボックスをシュレッダー本体から引出した際にシュレッダーヘッド内の刃に残った細断紙の散乱を防止することができる。【００１３】  また、本考案に係る細断紙散乱防止機能または安全保護機能付シュレッダーは、ダストボックス引出し式シュレッダーにおいて、シュレッダーヘッドの排出口を開閉する扉と、ダストボックスをシュレッダー本体から引出した状態でシュレッダーヘッドの排出口の扉を閉め、またダストボックスをシュレッダー本体にセットした状態でシュレッダーヘッドの排出口の扉を開ける開閉機構を備えたので、ダストボックスをシュレッダー本体から引出した際にシュレッダーヘッド内への指等の挿入を阻止し、シュレッダーヘッド内の刃による怪我を防止することができる。【００１４】  さらに、本考案に係る細断紙散乱防止機能または安全保護機能付シュレッダーは、ヘッド外し式シュレッダーにおいて、シュレッダーヘッドをシュレッダー本体から取外した状態でシュレッダーヘッドの排出口の扉を閉め、またシュレッダーヘッドをシュレッダー本体にセットした状態でシュレッダーヘッドの排出口の扉を開ける開閉機構を扉の両端に備えたので、シュレッダーヘッドをシュレッダー本体から取外した際にシュレッダーヘッド内の刃に残った細断紙の散乱をより確実に防止することができる。【００１５】  また、本考案に係る細断紙散乱防止機能または安全保護機能付シュレッダーは、ヘッド外し式シュレッダーにおいて、シュレッダーヘッドをシュレッダー本体から取外した状態でシュレッダーヘッドの排出口の扉を閉め、またシュレッダーヘッドをシュレッダー本体にセットした状態でシュレッダーヘッドの排出口の扉を開ける開閉機構を扉の両端に備えたので、シュレッダーヘッドをシュレッダー本体から取外した際にシュレッダーヘッド内への指等の挿入を阻止し、シュレッダーヘッド内の刃による怪我をより確実に防止することができる。【００１６】  さらに、本考案に係る細断紙散乱防止機能または安全保護機能付シュレッダーは、ダストボックス引出し式シュレッダーにおいて、シュレッダーヘッドをシュレッダー本体から取外した状態でシュレッダーヘッドの排出口の扉を閉め、またシュレッダーヘッドをシュレッダー本体にセットした状態でシュレッダーヘッドの排出口の扉を開ける開閉機構を扉の両端に備えたので、ダストボックスをシュレッダー本体から引出した際にシュレッダーヘッド内の刃に残った細断紙の散乱をより確実に防止することができる。【００１７】  また、本考案に係る細断紙散乱防止機能または安全保護機能付シュレッダーは、ダストボックス引出し式シュレッダーにおいて、シュレッダーヘッドをシュレッダー本体から取外した状態でシュレッダーヘッドの排出口の扉を閉め、またシュレッダーヘッドをシュレッダー本体にセットした状態でシュレッダーヘッドの排出口の扉を開ける開閉機構を扉の両端に備えたので、ダストボックスをシュレッダー本体から引出した際にシュレッダーヘッド内への指等の挿入を阻止し、シュレッダーヘッド内の刃による怪我をより確実に防止することができる。
【考案の効果】
【００１８】  本考案に係る細断紙散乱防止機能または安全保護機能付シュレッダーは、ヘッド外し式シュレッダーにおいて、シュレッダーヘッドの排出口を開閉する扉と、シュレッダーヘッドをシュレッダー本体から取外した状態でシュレッダーヘッドの排出口の扉を閉め、またシュレッダーヘッドをシュレッダー本体にセットした状態でシュレッダーヘッドの排出口の扉を開ける開閉機構とを備え、シュレッダーヘッドをシュレッダー本体から取外した際にシュレッダーヘッド内の刃に残った細断紙の散乱を防止することができるので、利便性の向上が図れる。【００１９】  また、本考案に係る細断紙散乱防止機能または安全保護機能付シュレッダーは、ヘッド外し式シュレッダーにおいて、シュレッダーヘッドの排出口を開閉する扉と、シュレッダーヘッドをシュレッダー本体から取外した状態でシュレッダーヘッドの排出口の扉を閉め、またシュレッダーヘッドをシュレッダー本体にセットした状態でシュレッダーヘッドの排出口の扉を開ける開閉機構とを備え、シュレッダーヘッドをシュレッダー本体から取外した際にシュレッダーヘッド内への指等の挿入を阻止し、シュレッダーヘッド内の刃による怪我を防止することができるので、安全性の向上が図れる。【００２０】  さらに、本考案に係る細断紙散乱防止機能または安全保護機能付シュレッダーは、ヘッド外し式シュレッダーにおいて、シュレッダーヘッドをシュレッダー本体から取外した状態でシュレッダーヘッドの排出口の扉を閉め、またシュレッダーヘッドをシュレッダー本体にセットした状態でシュレッダーヘッドの排出口の扉を開ける開閉機構を扉の両端に備え、シュレッダーヘッドをシュレッダー本体から取外した際にシュレッダーヘッド内の刃に残った細断紙の散乱をより確実に防止することができるので、安全性の大幅な向上が図れる。【００２１】  また、本考案に係る細断紙散乱防止機能または安全保護機能付シュレッダーは、ヘッド外し式シュレッダーにおいて、シュレッダーヘッドをシュレッダー本体から取外した状態でシュレッダーヘッドの排出口の扉を閉め、またシュレッダーヘッドをシュレッダー本体にセットした状態でシュレッダーヘッドの排出口の扉を開ける開閉機構を扉の両端に備え、シュレッダーヘッドをシュレッダー本体から取外した際にシュレッダーヘッド内への指等の挿入を阻止し、シュレッダーヘッド内の刃による怪我をより確実に防止することができるので、安全性の大幅な向上が図れる。【００２２】  さらに、本考案に係る細断紙散乱防止機能または安全保護機能付シュレッダーは、ダストボックス引出し式シュレッダーにおいて、シュレッダーヘッドの排出口を開閉する扉と、ダストボックスをシュレッダー本体から引出した状態でシュレッダーヘッドの排出口の扉を閉め、またダストボックスをシュレッダー本体にセットした状態でシュレッダーヘッドの排出口の扉を開ける開閉機構を備え、ダストボックスをシュレッダー本体から引出した際にシュレッダーヘッド内の刃に残った細断紙の散乱を防止することができるので、利便性の向上が図れる。【００２３】  また、本考案に係る細断紙散乱防止機能または安全保護機能付シュレッダーは、ダストボックス引出し式シュレッダーにおいて、シュレッダーヘッドの排出口を開閉する扉と、ダストボックスをシュレッダー本体から引出した状態でシュレッダーヘッドの排出口の扉を閉め、またダストボックスをシュレッダー本体にセットした状態でシュレッダーヘッドの排出口の扉を開ける開閉機構を備え、ダストボックスをシュレッダー本体から引出した際にシュレッダーヘッド内への指等の挿入を阻止し、シュレッダーヘッド内の刃による怪我を防止することができるので、安全性の向上が図れる。【００２４】  さらに、本考案に係る細断紙散乱防止機能または安全保護機能付シュレッダーは、ダストボックス引出し式シュレッダーにおいて、シュレッダーヘッドをシュレッダー本体から取外した状態でシュレッダーヘッドの排出口の扉を閉め、またシュレッダーヘッドをシュレッダー本体にセットした状態でシュレッダーヘッドの排出口の扉を開ける開閉機構を扉の両端に備え、ダストボックスをシュレッダー本体から引出した際にシュレッダーヘッド内の刃に残った細断紙の散乱をより確実に防止することができるので、利便性の大幅な向上が図れる。【００２５】  また、本考案に係る細断紙散乱防止機能または安全保護機能付シュレッダーは、ダストボックス引出し式シュレッダーにおいて、シュレッダーヘッドをシュレッダー本体から取外した状態でシュレッダーヘッドの排出口の扉を閉め、またシュレッダーヘッドをシュレッダー本体にセットした状態でシュレッダーヘッドの排出口の扉を開ける開閉機構を扉の両端に備え、ダストボックスをシュレッダー本体から引出した際にシュレッダーヘッド内への指等の挿入を阻止し、シュレッダーヘッド内の刃による怪我をより確実に防止することができるので、安全性の大幅な向上が図れる。【００２６】  よって、本考案は、利便が良く、且つ安全性の高い細断紙散乱防止機能または安全保護機能付シュレッダーを提供することができる。
【考案を実施するための最良の形態】
【００２７】  本考案の実施の形態を添付図面に基づいて以下に説明する。
【実施例１】
【００２８】  図１は請求項１、または請求項２に係る細断紙散乱防止機能または安全保護機能付シュレッダーの実施形態の概略構成図である。
図１において、細断紙散乱防止機能または安全保護機能付シュレッダー１は、シュレッダーヘッド１２、ダストボックス１３、排出口１４、扉１５、伝達軸１６、固定部（１７Ａ，１７Ｂ）、ハンドル１８、スプリング固定部１９、スプリング１１０、柱１１１とを備えている。
扉１５の駆動手段は、伝達軸１６、固定部（１７Ａ，１７Ｂ）、ハンドル１８、スプリング固定部１９、スプリング１１０、柱１１１とから構成される。
開閉機構は、扉１５と、上記駆動手段とから成る。
図２は図１に示す扉の開閉機構部の拡大図である。
図３はシュレッダーヘッド１２をシュレッダー本体１から外した状態を示したシュレッダーヘッド１２の概略構成図である。
図１、図２および図３に基づいて請求項１、または請求項２に係る細断紙散乱防止機能または安全保護機能付シュレッダー１の機能を説明する。【００２９】  シュレッダーヘッド１２はダストボックス１３の上にセットされ、シュレッダーヘッド１２に内蔵された刃（図示しない）で細断した細断物をシュレッダーヘッド１２の排出口１４から排出してダストボックス１３内に収容し、シュレッダーヘッド１２をシュレダー本体１から取外してダストボックス１３内に溜まった細断物を取出す。
扉１５の開閉機構はシュレッダーヘッド１２をシュレッダー本体１から取外した状態で扉１５を閉じてシュレッダーヘッド１２の排出口１４を塞ぎ（図３参照）、またシュレッダーヘッド１２をシュレッダー本体１にセットした状態で扉１５を開いてシュレッダーヘッド１２の排出口１４を開ける。
図３に示すように、扉１５、伝達軸１６、固定部（１７Ａ，１７ａ）、ハンドル１８、スプリング固定部１９、スプリング１１０はシュレッダーヘッド１２の底部にある。【００３０】  伝達軸１６は排出口１４を開閉するための回転力を扉１５に伝達する。
固定部（１７Ａ，１７ａ）は伝達軸１６の両端にあって伝達軸１６を回転可能に支承する。
ハンドル１８は伝達軸１６と連動回転するように伝達軸１６の一方の端に取付けられている。
スプリング固定部１９は固定部１７Ａの一部に設けられている。
スプリング１１０は、一方の端をスプリング固定部１９に固定され、他方の端をハンドル１８に固定されている。
シュレッダーヘッド１２がシュレダー本体１にセットされた状態で、ダストボックス１３に備えた柱１１１はハンドル１８を押上げて扉１５を開いて排出口１４を開けると共にスプリング１１０に扉１５を閉じる回転力を蓄える。
シュレッダーヘッド１２がシュレダー本体１から取外された状態では、図３に示すように、ハンドル１８が柱１１１から外れてスプリング１１０に蓄えられた回転力を開放して扉１５を閉じ、排出口４を塞ぐ。【００３１】この様に、細断紙散乱防止機能または安全保護機能付シュレッダー１は、扉１５、伝達軸１６、固定部（１７Ａ，１７ａ）、ハンドル１８、スプリング固定部１９、スプリング１１０、柱１１１とを備え、シュレッダーヘッド１２がシュレダー本体１から外された時に扉１５を閉じて排出口１４を塞ぐので、細断紙の散乱を防止することができ、またシュレッダーヘッド内への指等の挿入を阻止してシュレッダーヘッド内の刃による怪我を防止することができる。【００３２】  図４は請求項３に係る細断紙散乱防止機能または安全保護機能付シュレッダーの実施形態の概略構成図である。
図５はシュレッダーヘッドをシュレッダー本体から外した状態を示したシュレッダーヘッドの概略構成図である。
図４および図５に基づいて請求項３に係る細断紙散乱防止機能または安全保護機能付シュレッダーの機能を説明する。
図４、または図５において、細断紙散乱防止機能または安全保護機能付シュレッダー２０は、シュレッダーヘッド２２、ダストボックス２３、排出口２４、扉２５、伝達軸２６、固定部（２７Ａ、２７ａ）、ハンドル（２８Ａ、図５に示す２８ａ）、スプリング固定部（２９Ａ、２９ａ）、スプリング（２１０Ａ、２１０ａ）、柱（２１１Ａ、２１１ａ）とを備えている。【００３３】  扉２５の駆動手段は、伝達軸２６、固定部（２７Ａ，２７ａ）、  ハンドル（２８Ａ、２８ａ）、スプリング固定部（２９Ａ、２９ａ）、スプリング（２１０Ａ、２１０ａ）、柱（２１１Ａ、２１１ａ）とから構成される。
開閉機構は、扉２５と、上記駆動手段とから成る。
扉２５、伝達軸２６、固定部（２７Ａ，２７ａ）、ハンドル（２８Ａ、２８ａ）、スプリング固定部（２９Ａ、２９ａ）、スプリング（２１０Ａ、２１０ａ）はシュレッダーヘッド２２の底部にある。【００３４】  シュレッダーヘッド２２はダストボックス２３の上にセットされ、シュレッダーヘッド２２に内蔵された刃（図示しない）で細断した細断物を排出口２４から排出してダストボックス２３内に収容し、シュレッダーヘッド２２をシュレダー本体２０から取外してダストボックス２３内に溜まった細断物を取出す。
扉２５の開閉機構はシュレッダーヘッド２２をシュレッダー本体２０から取外した状態で扉２５を閉じてシュレッダーヘッド２２の排出口２４を塞ぎ、またシュレッダーヘッド２２をシュレッダー本体２０にセットした状態で扉２５を開いて排出口２４を開ける。【００３５】  伝達軸２６は排出口２４を開閉するための回転力を扉２５に伝達する。
固定部（２７Ａ，２７ａ）は伝達軸２６の両端にあって伝達軸２６を回転可能に支承する。
ハンドル（２８Ａ、２８ａ）は伝達軸２６と連動回転するように伝達軸２６の各々の端に取付けられ、ハンドル２８ａはハンドルＡと一対をなし、伝達軸２６を挟んで対象の位置にある。
スプリング固定部２９Ａは固定部２７Ａの一部に設けられ、スプリング固定部２９ａは固定部２７ａの一部に設けられている。
スプリング２１０Ａは一方の端をスプリング固定部２９Ａに、他方の端をハンドル２８Ａに固定され、スプリング２１０ａは一方の端をスプリング固定部２９ａに固定され、他方の端をハンドル２８ａに固定されている。【００３６】  シュレッダーヘッド２２がシュレダー本体２０にセットされた状態で、ダストボックス２３に備えた柱２１１Ａはハンドル２８Ａを押上げ、またダストボックス２３に備えた柱２１１ａはハンドル２８ａを押上げて扉２５を開いて排出口２４を開けると共に、柱２１１Ａとハンドル２８Ａとでスプリング２１０Ａに、柱２１１ａとハンドル２８ａとでスプリング２１０ａに扉１５を閉じる回転力を蓄える。
シュレッダーヘッド２２がシュレダー本体２０から外された状態では、ハンドル２８Ａが柱２１１Ａから外れてスプリング２１０Ａに蓄えられた回転力を開放し、またハンドル２８ａが柱２１１ａから外れてスプリング２１０ａに蓄えられた回転力を開放して扉２５を閉じ、排出口２４を塞ぐ。【００３７】この様に、細断紙散乱防止機能または安全保護機能付シュレッダー２０は、扉２５、伝達軸２６、固定部（２７Ａ，２７ａ）、ハンドル（２８Ａ、２８ａ）、スプリング固定部（２９Ａ、２９ａ）、スプリング（２１０Ａ、２１０ａ）、柱（２１１Ａ，２１１ａ）とを備えたので、シュレッダーヘッド２２がシュレダー本体２０から外された時に扉２５を閉じて排出口２４を塞ぐので、細断紙の散乱を防止することができ、またシュレッダーヘッド内への指等の挿入を阻止してシュレッダーヘッド内の刃による怪我を防止することができる。【００３８】  図６は請求項４に係る細断紙散乱防止機能または安全保護機能付シュレッダーの実施形態の概略構成図ある。
図７はシュレッダーヘッドをシュレッダー本体から外した状態を示したシュレッダーヘッドの概略構成図である。
図６および図７に基づいて請求項４に係る細断紙散乱防止機能または安全保護機能付シュレッダー３０の機能を説明する。
図６、または図７において、細断紙散乱防止機能または安全保護機能付シュレッダー３０は、シュレッダーヘッド３２、ダストボックス３３、排出口３４、扉（３５Ａ、３５Ｂ）、伝達軸（３６Ａ、３６Ｂ）、固定部（３７Ａ、３７ａ）、固定部（３７Ｂ、３７ｂ）、ハンドル（３８Ａ、３８Ｂ）、スプリング固定部（３９Ａ、３９Ｂ）、スプリング（３１０Ａ、３１０Ｂ）、柱（３１１Ａ、３１１Ｂ）とを備えている。【００３９】  扉３５Ａの駆動手段は、伝達軸３６Ａ、固定部（３７Ａ、３７ａ）、ハンドル３８Ａ、スプリング固定部３９Ａ、スプリング３１０Ａ、柱３１１Ａとから構成される。
扉３５Ａの開閉機構は、扉３５Ａと、扉３５Ａの駆動手段とから成る。
また扉３５Ｂの駆動手段は伝達軸３６Ｂ、固定部（３７Ｂ、３７ｂ）、ハンドル３８Ｂ、スプリング固定部３９Ｂ、スプリング３１０Ｂ、柱３１１Ｂとから構成され、扉３５Ｂの開閉機構は扉３５Ｂと、扉３５Ｂの駆動手段とから成る。
シュレッダーヘッド３２はダストボックス３３の上にセットされ、シュレッダーヘッド３２に内蔵された刃（図示しない）で細断した細断物を排出口３４から排出してダストボックス３３内に収容し、シュレッダーヘッド３２をシュレダー本体３０から取外してダストボックス３３内に溜まった細断物を取出す。
扉（３５Ａ、３５Ｂ）の開閉機構はシュレッダーヘッド３２をシュレッダー本体３０から取外した状態で扉（３５Ａ、３５Ｂ）を閉じてシュレッダーヘッド３２の排出口３４を塞ぎ、またシュレッダーヘッド３２をシュレッダー本体３０にセットした状態で扉（３５Ａ、３５Ｂ）を開いて排出口３４を開ける。【００４０】  扉（３５Ａ、３５Ｂ）、伝達軸（３６Ａ、３６Ｂ）、固定部（３７Ａ、３７ａ）、固定部（３７Ｂ、３７ｂ）、ハンドル（３８Ａ、３８Ｂ）、スプリング固定部（３９Ａ、３９Ｂ）、スプリング（３１０Ａ、３１０Ｂ）はシュレッダーヘッド３２の底部にある。【００４１】  伝達軸（３６Ａ、３６Ｂ）は排出口３４を開閉するための回転力を扉（３５Ａ、３５Ｂ）に伝達する。
固定部（３７Ａ、３７ａ）の各々は伝達軸３６Ａの反対側の端にあって伝達軸３６Ａを回転可能に支承する。
また固定部（３７Ｂ、３７ｂ）の各々は伝達軸３６Ｂの反対側の端にあって伝達軸３６Ｂを回転可能に支承する。
ハンドル３８Ａは伝達軸３６Ａと連動回転するように伝達軸３６Ａの端に取付けられ、ハンドル３８Ｂは伝達軸３６Ｂと連動回転するように伝達軸３６Ｂの端に取付けられている。【００４２】  スプリング固定部３９Ａは固定部３７Ａの一部に設けられ、スプリング固定部３９Ｂは固定部３７Ｂの一部に設けられている。
スプリング３１０Ａは一方の端をスプリング固定部３９Ａに、他方の端をハンドル３８Ａに固定され、スプリング３１０Ｂは一方の端をスプリング固定部３９Ｂに固定され、他方の端をハンドル３８Ｂに固定されている。【００４３】  シュレッダーヘッド３２がシュレダー本体３０にセットされた状態で、ダストボックス３３に備えた柱３１１Ａはハンドル３８Ａを押上げて扉３５Ａを開くと共にスプリング３１０Ａに扉３５Ａを閉じる回転力を蓄え、またダストボックス３３に備えた柱３１１Ｂはハンドル３８Ｂを押上げて扉３５Ｂを開くと共にスプリング３１０Ｂに扉３５Ｂを閉じる回転力を蓄える。
この様に、シュレッダーヘッド３２がシュレダー本体３０にセットされた状態では、扉（３５Ａ、３５Ｂ）が開いて排出口３４を開ける。
シュレッダーヘッド３２がシュレダー本体３０から外された状態では、ハンドル３８Ａが柱３１１Ａから外れてスプリング３１０Ａに蓄えられた回転力を開放して扉３５Ａを閉じ、またハンドル３８Ｂが柱３１１Ｂから外れてスプリング３１０Ｂに蓄えられた回転力を開放して扉３５Ｂを閉じて排出口３４を塞ぐ。【００４４】  この様に、細断紙散乱防止機能または安全保護機能付シュレッダー３０は、扉（３５Ａ、３５Ｂ）、伝達軸（３６Ａ、３６Ｂ）、固定部（３７Ａ、３７ａ）、固定部（３７Ｂ、３７ｂ）、ハンドル（３８Ａ、３８Ｂ）、スプリング固定部（３９Ａ、３９Ｂ）、スプリング（３１０Ａ、３１０Ｂ）、柱（３１１Ａ，３１１Ｂ）とを備えたので、シュレッダーヘッド３２がシュレダー本体３０から外された時に扉（３５Ａ、３５Ｂ）を閉じて排出口３４を塞ぐので、細断紙の散乱を防止することができ、またシュレッダーヘッド内への指等の挿入を阻止してシュレッダーヘッド内の刃による怪我を防止することができる。【００４５】  また、伝達軸３６Ａおよび伝達軸３６Ｂの両端に駆動手段を有してもよい。【００４６】  図８、図９および図１０は請求項５、または請求項６に係る細断紙散乱防止機能または安全保護機能付シュレッダーの実施形態の概略構成図ある。
図８、図９および図１０に基づいて請求項５、または請求項６に係る細断紙散乱防止機能または安全保護機能付シュレッダー４０の機能を説明する。
図８はダストボックス引出し式シュレッダー本体の全体概略構成図であり、図９はシュレッダー本体からダストボックスを引出し中の状態を示した概略構成図であり、図１０はシュレッダー本体からダストボックスを引出し、取去った状態を示した概略構成図である。【００４７】  図８において、細断紙散乱防止機能または安全保護機能付シュレッダー４０は、シュレッダーヘッド４２、ダストボックス４３、排出口４４、扉４５、伝達軸４６、固定部（４７Ａ，４７ａ）、ハンドル４８、スプリング固定部４９、スプリング４１０、柱４１１、刃４１２とを備えている。
扉４５の駆動手段は、伝達軸４６、固定部（４７Ａ，４７ａ）、ハンドル４８、スプリング固定部４９、スプリング４１０、柱４１１とから構成される。
開閉機構は、扉４５と、上記、駆動手段とから成る。【００４８】  シュレッダーヘッド４２はシュレッダー４０と一体化されており、シュレッダーヘッド４２に内蔵された刃４１２で細断した細断物をシュレッダーヘッド４２の排出口４４から排出してダストボックス４３内に収容し、ダストボックス４３をシュレダー本体４０から引出してダストボックス４３内に溜まった細断物を取出す。
扉４５の開閉機構はダストボックス４３をシュレッダー本体４０から引出した状態で扉４４を閉めてシュレッダーヘッド４２の排出口４４を塞ぎ（図１０参照）、またダストボックス４３をシュレッダー本体４０にセットした状態で扉４４を開いてシュレッダーヘッド４２の排出口４４を開ける。
図８に示すように、扉４５、伝達軸４６、固定部（４７Ａ，４７Ａ）、ハンドル４８、スプリング固定部４９、スプリング４１０はシュレッダーヘッド４２の底部にある。【００４９】  伝達軸４６は排出口４４を開閉するための回転力を扉４５に伝達する。
固定部（４７Ａ，４７ａ）は伝達軸４６の両端にあって伝達軸４６を回転可能に支承する。
ハンドル４８は伝達軸４６と連動回転するように伝達軸４６の一方の端に取付けられている。
スプリング固定部４９は固定部４７Ａの一部に設けられている。
スプリング４１０は、一方の端をスプリング固定部４９に固定され、他方の端をハンドル４８に固定されている。【００５０】  ダストボックス４３がシュレダー本体４０にセットされた状態で、ダストボックス４３に備えた柱４１１はハンドル４８を押上げて扉４５を開いて排出口４４を開けると共にスプリング４１０に扉４５を閉じる回転力を蓄える。
ダストボックス４３がシュレダー本体４０から引出された状態では、図１０に示すように、ハンドル４８が柱４１１から外れてスプリング４１０に蓄えられた回転力を開放して扉４５を閉じ、排出口４４を塞ぐ。【００５１】この様に、細断紙散乱防止機能または安全保護機能付シュレッダー４０は、扉４５、伝達軸４６、固定部（４７Ａ，４７ａ）、ハンドル４８、スプリング固定部４９、スプリング４１０、柱４１１とを備え、ダストボックス４３がシュレダー本体４０から引出された時に扉４５を閉じて排出口４４を塞ぐので、細断紙の散乱を防止することができ、またシュレッダーヘッド内への指等の挿入を阻止してシュレッダーヘッド内の刃による怪我を防止することができる。【００５２】  図１１および図１２は請求項７に係る細断紙散乱防止機能または安全保護機能付シュレッダーの実施形態の概略構成図ある。
図１１、または図１２において、細断紙散乱防止機能または安全保護機能付シュレッダー５０は、シュレッダーヘッド５２、ダストボックス５３、排出口５４、扉５５、伝達軸５６、固定部（５７Ａ、５７ａ）、ハンドル（５８Ａ、５８ａ）、スプリング固定部（５９Ａ、５９ａ）、スプリング（５１０Ａ、５１０ａ）、柱（５１１Ａ、５１１ａ）、刃５１２とを備えている。【００５３】  扉５５の駆動手段は、伝達軸５６、固定部（５７Ａ，５７ａ）、  ハンドル（５８Ａ、５８ａ）、スプリング固定部（５９Ａ、５９ａ）、スプリング（５１０Ａ、５１０ａ）、柱（５１１Ａ、５１１ａ）とから構成される。
開閉機構は、扉５５と、上記駆動手段とから成る。
扉５５、伝達軸５６、固定部（５７Ａ、５７ａ）、ハンドル（５８Ａ、５８ａ）、スプリング固定部（５９Ａ、５９ａ）、スプリング（５１０Ａ、５１０ａ）はシュレッダーヘッド５２の底部にある。【００５４】  シュレッダーヘッド５２はシュレッダー本体５０と一体化されており、シュレッダーヘッド５２に内蔵された刃５１２で細断した細断物を排出口５４から排出してダストボックス５３内に収容し、ダストボックス５３をシュレダー本体５０から引出してダストボックス５３内に溜まった細断物を取出す。
開閉機構はダストボックス５３をシュレッダー本体５０から引出した状態で扉５５を閉めてシュレッダーヘッド５２の排出口５４を塞ぎ、またダストボックス５３をシュレッダー本体５０にセットした状態で扉５５を開いて排出口５４を開ける。【００５５】  伝達軸５６は排出口５４を開閉するための回転力を扉５５に伝達する。
固定部（５７Ａ，５７ａ）は伝達軸５６の両端にあって伝達軸５６を回転可能に支承する。
ハンドル（５８Ａ、５８ａ）は伝達軸５６と連動回転するように伝達軸５６の各々の端に取付けられ、ハンドル５８Ａはハンドル５８ａと一対をなし、伝達軸５６を挟んで対象の位置にある。
スプリング固定部５９Ａは固定部５７Ａの一部に設けられ、スプリング固定部５９ａは固定部５７ａの一部に設けられている。
スプリング２１０Ａは一方の端をスプリング固定部５９Ａに、他方の端をハンドル５８Ａに固定され、スプリング２１０ａは一方の端をスプリング固定部５９ａに固定され、他方の端をハンドル５８ａに固定されている。【００５６】  ダストボックス５３がシュレダー本体５０にセットされた状態で、ダストボックス５３に備えた柱５１１Ａはハンドル５８Ａを押上げ、またダストボックス５３に備えた柱５１１ａはハンドル５８ａを押上げて扉５５を開いて排出口５４を開けると共に、柱５１１Ａとハンドル５８Ａとでスプリング２１０Ａに、柱５１１ａとハンドル５８ａとでスプリング２１０ａに扉４５を閉じる回転力を蓄える。
ダストボックス５３がシュレダー本体５０から引出された状態では、ハンドル５８Ａが柱５１１Ａから外れてスプリング２１０Ａに蓄えられた回転力を開放し、またハンドル５８ａが柱５１１ａから外れてスプリング２１０ａに蓄えられた回転力を開放して扉５５を閉じ、排出口５４を塞ぐ。【００５７】この様に、細断紙散乱防止機能または安全保護機能付シュレッダー５０は、扉５５、伝達軸５６、固定部（５７Ａ、５７ａ）、ハンドル（５８Ａ、５８ａ）、スプリング固定部（５９Ａ、５９ａ）、スプリング（５１０Ａ、５１０ａ）、柱（５１１Ａ、５１１ａ）とを備えたので、ダストボックス５３がシュレダー本体５０から引出された時に扉５５を閉じて排出口５４を塞ぐので、細断紙の散乱を防止することができ、またシュレッダーヘッド内への指等の挿入を阻止してシュレッダーヘッド内の刃による怪我を防止することができる。
【図面の簡単な説明】
【００５８】
【図１】  請求項１、または請求項２に係る細断紙散乱防止機能または安全保護機能付シュレッダーの実施形態の概略構成図
【図２】  図１に示す扉の開閉機構部の拡大図
【図３】  図１に示すシュレッダーヘッドの概略構成図
【図４】  請求項３に係る細断紙散乱防止機能または安全保護機能付シュレッダーの実施形態の概略構成図
【図５】  図４に示すシュレッダーヘッドの概略構成図
【図６】  請求項４に係る細断紙散乱防止機能または安全保護機能付シュレッダーの実施形態の概略構成図
【図７】  図６に示すシュレッダーヘッドの概略構成図
【図８】  請求項５、または請求項６に係る細断紙散乱防止機能または安全保護機能付シュレッダーの実施形態の全体概略構成図
【図９】  図８に示すシュレッダー本体からダストボックスを引出し中の状態を示した概略構成図
【図１０】  図８に示すシュレッダー本体からダストボックスを引出し、取去った状態を示した概略構成図
【図１１】  請求項７に係る細断紙散乱防止機能または安全保護機能付シュレッダーの実施形態の概略構成図
【図１２】  図１１に示すシュレッダー本体からダストボックスを引出し、取去った状態を示した概略構成図
【符号の説明】
【００５９】  １、２０，３０，４０，５０…シュレッダー本体、１２、２２、３２、４２、５２…シュレッダーヘッド、１３、２３、３３、４３、５３…ダストボックス、１４、２４、３４、４４、５４…排出口、１５、２５、３５Ａ、３５Ｂ、４５、５５…扉、１６、２６、３６Ａ、３６Ｂ、４６、５６…伝達軸、１７Ａ、１７ａ、２７Ａ、２７ａ、３７Ａ、３７ａ、３７Ｂ、３７ｂ、４７Ａ、４７ａ、５７Ａ、５７ａ…固定部、１８、２８Ａ、２８ａ、３８Ａ、３８Ｂ、４８、５８Ａ、５８ａ…ハンドル、１９、２９Ａ、２９ａ、３９Ａ、３９Ｂ、４９、５９Ａ、５９ａ…スプリング固定部、１１０、２１０Ａ、２１０ａ、３１０Ａ、３１０Ｂ、４１０、５１０Ａ、５１０ａ、…スプリング、１１１、２１１Ａ、２１１ａ、３１１Ａ、３１１Ｂ、４１１、５１１Ａ、５１１ａ…柱。
【図１】
0003139450.tif 000003
【図２】
0003139450.tif 000004
【図３】
0003139450.tif 000005
【図４】
0003139450.tif 000006
【図５】
0003139450.tif 000007
【図６】
0003139450.tif 000008
【図７】
0003139450.tif 000009
【図８】
0003139450.tif 000010
【図９】
0003139450.tif 000011
【図１０】
0003139450.tif 000012
【図１１】
0003139450.tif 000013
【図１２】
0003139450.tif 000014